(57)【特許請求の範囲】
【請求項１】
室内側開口部と室外側開口部とを連通する通風路を内部に形成した本体と、前記本体の室内側開口部と室内との間に配置されるグリルとを備えた換気装置において、
前記グリルの室内側には、前記本体にねじで固定される取り付け穴が設けられ、
前記グリルの前記本体側には、前記ねじの軸を貫通させ、前記ねじの頭部に係止する大きさの穴が備えられた金属製の取り付け部が設けられ、
前記グリルの前記取り付け穴と前記取り付け部の前記穴との間に隙間を設けたことを特徴とする換気装置。
【請求項２】
前記取り付け部を前記グリルの１箇所に設けたことを特徴とする請求項１に記載の換気装置。
【発明の詳細な説明】
【技術分野】
【０００１】
本発明は、室外空気を室内に供給するためや、室内空気を室外に排気するために天井板等に端末開口として設けられる換気装置に関するものである。
【背景技術】
【０００２】
従来、この種の換気装置は、天井面等に設置されるグリルの取り付け構成の一例として、天井裏に設置される吹き出しグリルの本体へねじで固定するものである（例えば、特許文献１参照）。
【０００３】
以下、特許文献１に記載の吹き出しグリルについて図７を参照しながら説明する。
【０００４】
図７に示すように、室外空気を室内に供給するための吹き出し口としての吹き出しグリル１０１は、吹き出しグリル１０１の内側に設けられた取り付け穴１０２を介して本体にねじで固定され天井面に取り付けられている。
【先行技術文献】
【特許文献】
【０００５】
【特許文献１】特開２０１３−２０４８４３号公報
【発明の概要】
【発明が解決しようとする課題】
【０００６】
このような従来の吹き出しグリル１０１は、樹脂を劣化させるような室外環境の室外空気を給気する、または、有機溶剤を使用する室内環境、あるいは、経年変化、温度変化による樹脂の機械強度の劣化等で樹脂の取り付け穴１０２が破損したときに吹き出しグリル１０１の設置状態は傾いたり等の変化がないため正常に見えユーザーからは吹き出しグリル１０１の異常が容易に発見できない、という課題を有していた。
【０００７】
そこで本発明は、上記従来の課題を解決するものであり、吹き出しグリルとしてグリルに異常が生じた際に取り付け状態が容易に確認することができる換気装置を提供することを目的とする。
【課題を解決するための手段】
【０００８】
そして、この目的を達成するために、本発明は、室内側開口部と室外側開口部とを連通する通風路を内部に形成した本体と、前記本体の室内側開口部と室内との間に配置されるグリルとを備えた換気装置において、前記グリルの室内側には、前記本体にねじで固定される取り付け穴が設けられ、前記グリルの前記本体側には、前記ねじの軸を貫通させ、前記ねじの頭部に係止する大きさの穴が備えられた金属製の取り付け部が設けられ、前記グリルの前記取り付け穴と前記取り付け部の前記穴との間に隙間を設けたこととしたものであり、これにより所期の目的を達成するものである。
【発明の効果】
【０００９】
本発明によれば、室内側開口部と室外側開口部とを連通する通風路を内部に形成した本体と、室内側に設けられ、前記本体の室内側開口部と室内とを連通させるグリルにおいて、前記グリルは前記本体にねじで固定される取り付け穴と、前記グリルの前記本体側の位置に前記ねじの通る穴を備えた金属製の取り付け部を設け、前記グリルの前記取り付け穴と前記取り付け部の前記穴に隙間を設けた、という構成にしたことにより、取り付け穴が破損しても、ねじに取り付け穴から隙間分距離がある金属製の取り付け部の穴がひっかかることとなるので、グリルに異常が生じた際に取り付け状態が容易に確認することができる、という効果を得ることができる。
【図面の簡単な説明】
【００１０】
【図１】本発明の実施の形態１の換気装置の構成を示す側断面図
【図２】同換気装置の構成を示す斜視図
【図３】同換気装置のグリルの構成を示す斜視図
【図４】同換気装置の構成を示す側断面図
【図５】本発明の実施の形態２の換気装置のグリルの構成を示す斜視図
【図６】同換気装置の構成を示す側断面図
【図７】従来の吹き出しグリルの構成を示す正面図
【発明を実施するための形態】
【００１１】
本発明の請求項１記載の換気装置は、室内側開口部と室外側開口部とを連通する通風路を内部に形成した本体と、室内側に設けられ、前記本体の室内側開口部と室内とを連通させるグリルにおいて、前記グリルは前記本体にねじで固定される取り付け穴と、前記グリルの前記本体側の位置に前記ねじの通る穴を備えた金属製の取り付け部を設け、前記グリルの前記取り付け穴と前記取り付け部の前記穴に隙間を設けた、という構成を有する。これにより、取り付け穴が破損しても、ねじに取り付け穴から隙間分距離がある金属製の取り付け部の穴がひっかかることとなるので、グリルに異常が生じた際に取り付け状態が容易に確認することができる、という効果を奏する。
【００１２】
また、取り付け部を１箇所に設けた、という構成にしてもよい。これにより、取り付け穴が破損しても、ねじに取り付け穴から隙間分距離がある１箇所の金属製の取り付け部の穴がひっかかり傾くこととなるので、さらにグリルに異常が生じた際に取り付け状態が容易に確認することができる、という効果を奏する。
【００１３】
以下、本発明の実施の形態について図面を参照しながら説明する。
【００１４】
（実施の形態１）
図１〜図３に示すように、例えば天井１１裏に下方に方形状の室内側開口部１と側面にダクト（図示せず）と接続できるように円形状の室外側開口部２とを連通する通風路３を内部に形成した本体４を設ける。
【００１５】
そして、室内５側の室内側開口部１の天井１１を介して本体４の室内側開口部１と室内５とを連通させるグリル６を設ける。
【００１６】
なお、グリル６は一般的に公知されているもので、グリル６の内部に板状の風向調節板１２が設けられてものである。
【００１７】
そして、グリル６には本体４にねじ７で固定される取り付け穴８が設けられている。
【００１８】
そして、グリル６の本体４側の位置にねじ７の通る穴９を備えたアルミや鉄等の金属製の板状の取り付け部１０を設ける。
【００１９】
取り付け部１０の構成は、例えば、略逆Ｔ状を有して逆Ｔ状の下方の直線部でグリル６とをねじで固定し、上方の直線部の最上端に約直角に内側に曲げた板状に穴９を設けたものである。
【００２０】
そして、グリル６の取り付け穴８と取り付け部１０との穴９に約３ｍｍ程度の隙間を設けたものからなる。
【００２１】
そして、図４に示すように、取り付け穴８（図３参照）が破損して自重で下に落下すると、ねじ７に取り付け穴８から隙間分の距離がある金属製の取り付け部１０の穴９がひっかかるのでグリル６が隙間分の距離だけ天井１１から室内５側へ下がって見えるので、グリル６に異常が生じた際にグリル６の本体４への取り付け状態が容易に確認することができる。
【００２２】
なお、図３においては、取り付け穴８をグリル６の筒状部の開口の対角線上の２ヶ所に設けているが、四隅の４ヶ所に設けてもよい（吹き出しグリル６の形状が正方形の場合バランスよく配置することができるので。）。但し、穴９は対角２ヶ所に設けても作用・効果が異なることはない。
【００２３】
（実施の形態２）
図５および図６において、図１〜図４と同様の構成要素については同一の符号を付し、その詳細な説明は省略する。
【００２４】
そして、穴９のついた金属製の取り付け部１０をどちらか１箇所にグリル６に設けたものである。
【００２５】
これにより、取り付け穴８が破損して自重で下に落下すると、ねじ７に取り付け穴８から隙間分の距離があるどちらか１箇所の金属製の取り付け部１０の穴９がひっかかり天井１１に対して取り付け部１０のない方が取り付け部１０のある方より下に傾くこととなるので、さらにグリル６に異常が生じた際にグリル６の本体４への取り付け状態が明らかに容易に確認することができる。
【００２６】
なお、実施の形態１と同様に、取り付け穴８をグリル６の筒状部の開口の対角線上の２ヶ所に設けているが、四隅の４ヶ所に設けてもよい（吹き出しグリル６の形状が正方形の場合バランスよく配置することができるので。）。但し、穴９は四隅のどちらか１ヶ所に設けても作用・効果が異なることはない。
【産業上の利用可能性】
【００２７】
本発明にかかる換気装置は、吹き出しグリルとしてグリルに異常が生じた際に取り付け状態が容易に確認することができることを可能とするものであるので、室外の軒下面等に設置される換気装置等として有用である。
【符号の説明】
【００２８】
１    室内側開口部
２    室外側開口部
３    通風路
４    本体
５    室内
６    グリル
７    ねじ
８    取り付け穴
９    穴
１０  取り付け部
１１  天井
１２  風向調節板
【図１】
0006450930.tif 000002
【図２】
0006450930.tif 000003
【図３】
0006450930.tif 000004
【図４】
0006450930.tif 000005
【図５】
0006450930.tif 000006
【図６】
0006450930.tif 000007
【図７】
0006450930.tif 000008